(57)【要約】【課題】プレートを必要に応じて移動させて入出金口に対向する空間を調整することで装置本体を小型化した紙幣処理装置を提供する。【解決手段】各プレートで仕切られた入金紙幣の第１収納部近傍に、入金取引での紙幣を一時保留する一時保留部を配置、設けた紙幣処理装置。【選択図】 図１
2006350587.tif 000002
【特許請求の範囲】
【請求項１】
紙幣の入出金を行う入出金口と、前記入出金口の開閉を行うシャッタと、紙幣を鑑別する鑑別部と、金種毎に紙幣を収納する金種ボックスと、制御部とを有する紙幣処理装置において、前記シャッタより内側近傍の紙幣収納空間を前記入出金口から投入された入金紙幣の第１紙幣収納部と、前記第１紙幣収納部より繰り出され前記鑑別部によって鑑別された入金紙幣を一時的に保留する第３紙幣収納部とに分割形成したことを特徴とする紙幣処理装置。
【請求項２】
請求項１記載の紙幣処理装置において、前記第３紙幣収納部を前記第１収納部の上方に配置したことを特徴とする紙幣処理装置。
【請求項３】
請求項１又は２記載の紙幣処理装置において、前記第３紙幣収納部は前記金種ボックスより出金される出金紙幣を収納することを特徴とする紙幣処理装置。
【請求項４】
請求項１乃至３の何れかの項記載の紙幣処理装置において、前記第１紙幣収納部と前記第３紙幣収納部との間に前記第１紙幣収納部より繰り出され前記鑑別部によってリジェクトされたリジェクト紙幣を収納する第２紙幣収納部を設けたことを特徴とする紙幣処理装置。
【請求項５】
請求項１記載の紙幣処理装置において、前記制御部は、前記第１紙幣収納部に投入された紙幣を前記鑑別部によって鑑別して前記第３紙幣収納部に集積、収納し、前記投入された紙幣の返却指示があったとき前記第３紙幣収納部を第１紙幣収納部によって形成された収納空間まで移動することを特徴とする紙幣処理装置。
【請求項６】
請求項３記載の紙幣処理装置において、前記制御部は、前記第３紙幣収納部を前記第１紙幣収納部によって形成された収納空間まで移動することを特徴とする紙幣処理装置。
【請求項７】
請求項１記載の紙幣処理装置において、前記第３紙幣収納部を形成し且つ移動可能な第２プレートを有し、前記第２プレートは前記第１紙幣収納部と前記入出金口内部で遮断し且つ当該プレート中心にくぼみ形状を有することを特徴とする紙幣処理装置。
【請求項８】
請求項７記載の紙幣処理装置において、前記第１紙幣収納部を形成する受けプレートを有し、前記受けプレートは前記第２プレートの前記くぼみ形状がはまるくぼみ形状を有することを特徴とする紙幣処理装置。
【請求項９】
請求項１記載の紙幣処理装置において、前記第１紙幣収納部と前記第３紙幣収納部との間に前記第１紙幣収納部より繰り出され前記鑑別部によってリジェクトされたリジェクト紙幣を収納する第２紙幣収納部を有し、
前記第１紙幣収納部と前記第２紙幣収納部とを分割する第１プレートと、前記第２紙幣収納部と前記第３紙幣収納部とを分割する第２プレートとを有することを特徴とする紙幣処理装置。
【請求項１０】
請求項９記載の紙幣処理装置において、前記第１プレートと前記第２プレートとをそれぞれ異なる２つのアクチュエータによって駆動することを特徴とする紙幣処理装置。
【請求項１１】
請求項１記載の紙幣処理装置において、前記第３紙幣収納部に保留した紙幣を前記入出金口から取り出し可能にしたことを特徴とする紙幣処理装置。
【発明の詳細な説明】
【技術分野】
【０００１】
本発明は、装置に投入された紙幣を受け付ける入金取引や、装置に収納している紙幣を放出する出金取引を行う紙幣処理装置に関する。
【背景技術】
【０００２】
従来、入金取引や出金取引を行うＡＴＭやＣＤ等の紙幣処理装置が金融機関やコンビニエンスストア等の店舗に設置されている。紙幣処理装置は、入出金口の内側に入金取引や出金取引にかかる紙幣（入出金紙幣）を収納する入出金紙幣収納空間が形成されており、利用者と紙幣の入金、出金を実行している。
【０００３】
特に、入出金口に関する技術として特許文献１があり、入出金口に対向する入出金紙幣収納空間に中板を設け、この中板で入金紙幣を投入する投入紙幣空間と、リジェクト紙幣や出金紙幣を収納する放出紙幣空間とに分けることが開示され、また、中板を移動することで、これらの空間の大きさを必要に応じて調整することの開示もある。この紙幣処理装置は、入金取引時にリジェクト紙幣を放出紙幣空間に直接搬送して収納することができ、装置本体にリジェクト紙幣収納部を設ける必要がないので、装置本体を小型にできる。 
【特許文献１】特開２０００-９９７９５号公報
【発明の開示】
【発明が解決しようとする課題】
【０００４】
しかしながら、特許文献１で示されている紙幣処理装置は、入金取引時に受入可能紙幣であると鑑別した紙幣を、利用者が入金金額を確認するまで一時保留する一時保留部を入出金紙幣収納空間とは別に、そして装置内でも離して設ける必要があるため、十分に装置が小型化されているとは言えなかった。
【０００５】
本発明の目的は、特に入出金口と一時保留部とに着目し、更なる装置の小型化を可能にした紙幣処理装置を提供することにある。
【０００６】
また、入出金口の紙幣の取り出し等に対して操作性の優れた装置を提供することにある。
【課題を解決するための手段】
【０００７】
本発明の紙幣処理装置は、上記課題を解決するために特に、入出金口近傍に一時保管部を配置した構成を特徴とする。またその一時保管庫を出金紙幣の集積にも兼用する構成を採用する。言い換えると、入出金口内部の収納空間を入金紙幣収納部と入金時の一時保留収納部とに分割する構成を採っている。
【発明の効果】
【０００８】
入金取引時における入金紙幣の投入空間、リジェクト紙幣を収納するリジェクト紙幣保留空間、受入紙幣を収納する一時保留空間とする第１〜第３の紙幣収納空間を分割形成し、また、３枚のプッシャプレート（押圧板又は押板）を移動し、これらのプッシャプレートの位置を調整することにより、入出金口に対向する空間を調整することができるので、装置本体を小型にできる。 
また、一時保留部を形成するプッシャプレート形状によって、セキュリティ性、良好な操作性向上を図ることができる。
【発明を実施するための最良の形態】
【０００９】
以下、この発明の実施形態である紙幣処理装置について説明する。図１は紙幣処理装置の主要部の構成を示す概略断面図を示す。紙幣処理装置１は、装置全体を制御する制御部によって入金取引、および出金取引が行う機能を有し、カードを取り扱うカード機構部、顧客の操作する操作部等と共に自動取引装置（ＡＴＭ）とも言う。紙幣処理装置１には、本体正面に紙幣の入出金口２が形成されている。この入出金口２には、シャッタ２ａが設けられている。入出金口２に対向する装置内側には、受けプレート１１、第１のプッシャプレート１２（単にプレートともいう。以下同じ）、第２のプッシャプレート１３、第３のプッシャプレート１４が、入出金口２の下端側からこの順に立設されている。受けプレート１１は、一方の端部を入出金口２の下端の辺に沿って立設している。この受けプレート１１は固定されている。一方、第１のプッシャプレート１２、第２のプッシャプレート１３、および第３のプッシャプレート１４は、受けプレート１１に対して接離する方向に移動時自在に取り付けている。 
また、３は受けプレート１１と第１のプッシャプレート１２との間に収納されている紙幣を繰り出す繰出ローラを含む分離繰出機構である。４は第１のプッシャプレート１２と第２のプッシャプレート１３との間に紙幣を送り収納する送りローラを含むスタック機構である。５は第２のプッシャプレート１３と第３のプッシャプレート１４との間に収納されている紙幣の繰り出す繰出ローラ、およびこの間に紙幣を送り込む送りローラを含む分離繰出／スタック機構である。第１のプッシャプレート１２の一方の端部が入出金口２の上端の辺に沿って立設し、第２のプッシャプレート１３が第１のプッシャプレート１２に当接し、第３のプッシャプレート１４が第２のプッシャプレート１３から入出金口２と略同じ幅だけ離れた位置に立設している状態を初期状態（第１〜第３のプッシャプレート１２〜１４が初期位置にある状態）と呼ぶ。なお、詳細については後述するが、第２のプッシャプレート１３と、第３のプッシャプレート１４との間隔は、最大で入出金口２の幅と略同じである。 
スタック機構４は、第２のプッシャプレート１３が初期位置にあるとき、第１のプッシャプレート１２と第２のプッシャプレート１３との間に紙幣を送り込むことができる。また、分離繰出／スタック機構５は、第３のプッシャプレート１４が初期位置にあるとき、第２のプッシャプレート１３と第３のプッシャプレート１４との間に紙幣が送り込むことができ、またこの第３のプッシャプレート１４に当接している紙幣を１枚ずつ繰り出すことができる。 
受けプレート１１は、分離繰出機構３の繰出ローラが対向する位置に切欠を形成しており、受けプレート１１と第１のプッシャプレート１２との間の紙幣収納空間に収納されている紙幣がこの繰出ローラに当接する構成である。また、第１のプッシャプレート１２にも、分離繰出機構３の繰出ローラが対向する位置に切欠を形成しており、第１のプッシャプレート１２と第２のプッシャプレート１３との間の紙幣収納空間に収納されている紙幣がこの繰出ローラに当接する構成である。したがって、受けプレート１１と第１のプッシャプレート１２との間の紙幣収納空間、および第１のプッシャプレート１２と第２のプッシャプレート１３との間の紙幣収納空間に収納されている紙幣については、分離繰出機構３の繰出ローラにより１枚ずつ繰り出すことができる。さらに、第３のプッシャプレート１４は、分離繰出／スタック機構５の繰出ローラが対向する位置に切欠を形成しており、第２のプッシャプレート１３と第３のプッシャプレート１４との間の紙幣収納空間に収納されている紙幣がこの繰出ローラに当接する構成である。したがって、第２のプッシャプレート１３と第３のプッシャプレート１４との間の紙幣収納空間に収納されている紙幣については、分離繰出／スタック機構５の繰出ローラにより１枚ずつ繰り出すことができる。 
また、図１に示す６は紙幣の真偽や金種を鑑別することで、受入可能紙幣であるかどうかを鑑別する鑑別部であり、７ａ〜７ｃは金種毎に設けた紙幣カートリッジ（金種ボックス）であり、８は取り忘れ紙幣等を回収する回収カートリッジ（回収ボックス）である。受入可能紙幣とは、真券であり、且つ紙幣処理装置１で取り扱っている金種の紙幣である。例えば、真券であると鑑別されても、取り扱っていない金種の紙幣であれば受入可能紙幣でないと鑑別する。受けプレート１１と第１のプッシャプレート１２との間の紙幣収納空間（第１の紙幣収納空間（第１紙幣収納部））は、入金取引時における紙幣の投入空間として使用される。第１のプッシャプレート１２と第２のプッシャプレート１３との間の紙幣収納空間（第２の紙幣収納空間（第２紙幣収納部））は、入金取引時におけるリジェクト紙幣（鑑別部６で受入可能紙幣でないと鑑別された紙幣）の収納空間として使用される。さらに、第２のプッシャプレート１３と第３のプッシャプレート１４との間の紙幣収納空間（第３の紙幣収納空間（第３紙幣収納部））は、入金取引時に受入紙幣（鑑別部６で受入可能紙幣であると鑑別された紙幣）を一時的に保留する一時保留空間、および出金取引時に出金紙幣（紙幣カートリッジ７ａ〜７ｃから繰り出した紙幣）を収納する収納空間として使用される。第１〜第３のプッシャプレート１２〜１４を移動し、これらのプッシャプレート１２〜１４の位置を調整することで、これらの紙幣収納空間のサイズ（対向する２枚のプレート間の距離）や、位置を調整することができる。 
紙幣処理装置１には、受けプレート１１と第１のプッシャプレート１２との間の紙幣収納空間から繰り出した紙幣を鑑別部６を経由して、第１のプッシャプレート１２と第２のプッシャプレート１３との間の紙幣収納空間、または第２のプッシャプレート１３と第３のプッシャプレート１４との間の紙幣収納空間に搬送したり、第２のプッシャプレート１３と第３のプッシャプレート１４との間の紙幣収納空間から繰り出した紙幣を鑑別部６を経由して紙幣カートリッジ７ａ〜７ｃや回収カートリッジ８に搬送したり、さらには紙幣カートリッジ７ａ〜７ｃから繰り出した紙幣を鑑別部６経由して第２のプッシャプレート１３と第３のプッシャプレート１４との間の紙幣収納空間に搬送する紙幣搬送路が形成されている。この紙幣搬送路には、搬送している紙幣の送り先に応じて、紙幣の搬送経路を切り替えるフラッパが設けられている。
【００１０】
このように、入金された紙幣を鑑別部６にて鑑別し、その後、計数された紙幣が顧客によって確認するまで紙幣を一時的に保留する一時保留部（第３紙幣収納空間）を紙幣入出金口２近傍に設ける構成に特に特徴がある。そしてその第３紙幣収納空間を紙幣の出金時にも使用する収納空間としても兼用している。また入金、出金取引に発生する入金紙幣の収納、入金時のリジェクト紙幣の収納、入金時の一時的に保留する紙幣の収納、出金時の紙幣の収納、に関して、入出金口２近傍に纏めることで装置の小型化が可能となる。
【００１１】
図２は、受けプレート、および第１〜第３のプッシャプレートの取り付け状態を示す概略図である。図２は、第１〜第３のプッシャプレートが初期位置にあるときを示している。受けプレート１１は、一方の端部が入出金口２の下端の辺に沿うように立設している。この受けプレート１１は、上述したように固定されており、移動しない。第１のプッシャプレート１２は、受けプレート１１に当接する位置と一方の端部が略入出金口２の上端の辺に沿う位置との間で移動自在に取り付けられている。第１のプッシャプレート１２は、第１のアクチュエータ２１により、受けプレート１１に対して接離する方向に移動される。受けプレート１１と第１のプッシャプレート１２との間の紙幣収納空間の幅は、第１のプッシャプレート１２が初期位置にあるときが最大であり、入出金口２の幅と略同じである。反対に、第１のプッシャプレート１２が受けプレート１１に当接する位置にあるときが最小であり、その幅が略０である。第１のプッシャプレート１２が初期位置にあるとき、受けプレート１１と第１のプッシャプレート１２との間の紙幣収納空間が入出金口２に対向している。 
第２のプッシャプレート１３は、第１のバネ２２を介して駆動プレート２３に連結されている。駆動プレート２３は、第２のアクチュエータ２４により上下方向（受けプレート１１に対して接離する方向）に移動される。第２のプッシャプレート１３は、この駆動プレート２３を第１のプッシャプレート１２側に移動させることにより、第１のプッシャプレート１２側に移動できる。第２のプッシャプレート１３は第１のプッシャプレート１２に当接する位置より下方に移動することはない。第１のプッシャプレート１２が受けプレート１１に当接する位置にあり、且つ第２のプッシャプレート１３が初期位置にあるとき、第１のプッシャプレート１２と第２のプッシャプレート１３との間の紙幣収納空間が入出金口２に対向している。 
さらに、第３のプッシャプレート１４は、第２のバネ２５により第２のプッシャプレート１３から離れる方向に付勢されている。第３のプッシャプレート１４は、長穴２６ａを形成した連結プレート２６により第２のプッシャプレート１３に連結している。具体的には、図２に示すように、第３のプッシャプレート１４の側面に連結プレート２６を取り付け、第２のプッシャプレート１３の側面に設けた凸部２７を連結プレート２６の長穴に挿入することで、第２のプッシャプレート１３と第３のプッシャプレート１４とを連結している。第３のプッシャプレート１４は図２に示す位置が最も上方に移動している状態であり、この状態であるとき図示していないストッパに当接しており、これより上方に移動することはない。このとき、凸部２７は長穴２６ａの下側の端部に当接している。 
第２のプッシャプレート１３は、図示していないストッパに当接して停止している第３のプッシャプレート１４に当接する位置まで上方に移動できる。また、第２のプッシャプレート１３の側面に設けた凸部２７が連結プレート２６の長穴２６ａの下端に当接している状態において、さらに第２のアクチュエータ２４により駆動プレート２３を下方に移動すると、第２のプッシャプレート１３の下方への移動にともなって、第３のプッシャプレート１４が下方に移動する。第１のプッシャプレート１２が受けプレート１１に当接する位置にあり、且つ第２のプッシャプレート１３が第１のプッシャプレート１２に当接する位置にあるとき、第３のプッシャプレート１４の位置は一方の端部が入出金口２の上端の辺に沿う位置である。このとき、第２のプッシャプレート１３と第３のプッシャプレート１４との間の紙幣収納空間が入出金口２に対向している。 
このように、第１のアクチュエータ２１、および第２のアクチュエータ２４の２つの駆動部により、第１〜第３のプッシャプレート１２〜１４を移動し、これらのプッシャプレート１２〜１４の位置を調整することで、３つの紙幣収納空間のいずれかを入出金口２に対向させることができる。 
以下、この実施形態の紙幣処理装置１における入金取引時の動作、および出金取引時の動作について説明する。まず、入金取引時の動作について説明する。なお、紙幣処理装置１における通帳やカードに対する処理についての説明を省略する。 
図３、４は、この実施形態の紙幣処理装置における入金取引時の処理を示すフローチャートである。紙幣処理装置１は、入金取引が選択されると、この処理を開始する。紙幣処理装置１は、第１〜第３のプッシャプレート１２〜１４を初期位置に移動する（ｓ１）。上述したように、第１〜第３のプッシャプレート１２〜１４が初期位置にあるとき、受けプレート１１と第１のプッシャプレート１２との間の紙幣収納空間（以下、紙幣投入空間と言う。）が入出金口２に対向している。紙幣処理装置１は、シャッタ２ａを開し（ｓ２）、紙幣投入空間に紙幣が投入されるのを待つ（ｓ３）。紙幣処理装置１は、紙幣投入空間に紙幣が投入されると、シャッタ２ａを閉し（ｓ４）、第１のプッシャプレート１２を受けプレート１１側に移動し、紙幣投入空間に投入された紙幣を分離繰出機構３の繰出ローラに押圧する（ｓ５）（図５参照）。このように、紙幣投入空間に投入されている紙幣を第１のプッシャプレート１２で分離繰出機構３の繰出ローラに適当な押圧力で押圧することができる。 
紙幣処理装置１は、分離繰出機構３の繰出ローラを回転させて、紙幣投入空間に投入されている紙幣を１枚ずつ繰り出し（ｓ６）、繰り出した紙幣を鑑別部６に搬送する。そして、鑑別部６で、受入可能紙幣であるかどうかの鑑別を行う（ｓ７）。紙幣処理装置１は、鑑別部６において受入可能紙幣であると鑑別した紙幣を第２のプッシャプレート１３と第３のプッシャプレート１４との間の紙幣収納空間（以下、一時保留空間と言う。）に搬送し、収納する（ｓ８、ｓ９）。一方、鑑別部６で受入可能紙幣でないと鑑別された紙幣（リジェクト紙幣）については、第１のプッシャプレート１２と第２のプッシャ１３との間の紙幣収納空間（以下、リジェクト紙幣収納空間と言う。）に搬送し、収納する（ｓ８、ｓ１０）。紙幣処理装置１は、ｓ６〜ｓ９の処理を、紙幣投入空間に投入された全ての紙幣について繰り返し行う（ｓ１１）。言い換えれば、紙幣処理装置１は紙幣投入空間に投入された全ての紙幣について鑑別を行う。このとき、第２のプッシャプレート１３と第３のプッシャプレート１４とは初期位置にあるので、分離繰出／スタック機構５の送りローラにより一時保留空間内に送られた紙幣（受入紙幣）は第２のプッシャプレート１３の上面に積み重なる。また、第１のプッシャプレート１２は紙幣投入空間に投入された紙幣を繰り出すために受けプレート１１側に移動しているので、スタック機構４の送りローラによりリジェクト紙幣収納空間内に送られた紙幣（リジェクト紙幣）は第１のプッシャプレート１２の上面に積み重なる。 
紙幣処理装置１は、紙幣投入空間に投入された全ての紙幣について鑑別を完了し、この鑑別結果に基づいて一時保留空間、またはリジェクト紙幣収納空間に収納すると、リジェクト紙幣収納空間にリジェクト紙幣が収納されているかどうかを判定し（ｓ１２）、リジェクト紙幣収納空間にリジェクト紙幣が収納されていればシャッタ２ａを開する（ｓ１３）。このとき、第１のプッシャプレート１２は受けプレート１１に当接しており、その一方の端部が略入出金口２の下端の辺に沿う位置にあり、また第２のプッシャプレート１３は一方の端部が略入出金口２の上端の辺に沿う位置にある（図６参照）。したがって、ｓ１２でシャッタ２ａが開されたことにより、利用者は入出金口２に対向しているリジェクト紙幣収納空間に収納されている紙幣を取り出すことができる。このように、紙幣処理装置１は、シャッタ２ａを開することにより、リジェクト紙幣を利用者に返却することができる。 
紙幣処理装置１は、リジェクト紙幣収納空間に収納しているリジェクト紙幣が利用者により取り出されると（ｓ１４）、シャッタ２ａを閉する（ｓ１５）。紙幣処理装置１は、ｓ１１でリジェクト紙幣収納空間にリジェクト紙幣が収納されていないと判定した場合、またはｓ１５でシャッタ２ａを閉すると、投入金額の確認、追加投入の要求、または入金取引の中止の要求のいずれかにかかる入力が行われるのを待つ（ｓ１６〜ｓ１８）。紙幣処理装置１は、紙幣の追加投入にかかる入力が行われると、第１のプッシャプレート１２を初期位置に戻し（ｓ１９）、ｓ２に戻って上記処理を繰り返す。このとき、第２のプッシャプレート１３、および第３のプッシャプレート１４も初期位置にある。 
また、紙幣処理装置１は、投入金額の確認にかかる入力が行われると、上述の入金計数処理から入金収納処理に移行する。最初に、第２のプッシャプレート１３を第３のプッシャプレート１４側に移動し、一時保留空間に収納されている受入紙幣を繰出／送りローラ５に押圧する（ｓ２０）（図７参照）。このように、一時保留空間に収納されている紙幣を第２のプッシャプレート１２で分離繰出／スタック機構５の繰出ローラに適当な押圧力で押圧することができる。紙幣処理装置１は、分離繰出／スタック機構５の繰出ローラを回転させて、一時保留空間に収納している受入紙幣を１枚ずつ繰り出し（ｓ２１）、繰り出した紙幣を鑑別部６に搬送し、再度受入可能紙幣であるかどうかの鑑別を行う（ｓ２２）。紙幣処理装置１は、鑑別部６における再鑑別で受入可能紙幣であると鑑別した紙幣については、その金種に応じた紙幣カートリッジ７ａ〜７ｃへ搬送し、収納する（ｓ２３、ｓ２４）。また、この紙幣の再鑑別で受入可能紙幣でないと鑑別された紙幣については、回収カートリッジ８へ搬送し、収納する（ｓ２３、ｓ２５）。紙幣処理装置１は、一時保留空間に収納している全ての受入紙幣を紙幣カートリッジ７ａ〜７ｃまたは回収カートリッジ８に収納するまで、ｓ２１〜ｓ２５の処理を繰り返す（ｓ２６）。紙幣処理装置１は、一時保留空間に収納している全ての受入紙幣を紙幣カートリッジ７ａ〜７ｃまたは回収カートリッジ８に収納すると、今回の入金金額に応じた入金処理を行い（ｓ２７）、本処理を終了する。 
また、紙幣処理装置１は、入金取引の中止にかかる入力があると、第２のアクチュエータ２４により第２のプッシャプレート１３を受けプレート１１に移動する（ｓ２８）。このとき、第１のプッシャプレート１２は受けプレート１１に当接している。したがって、第２のプッシャプレート１３は、受けプレート１１に当接している第１のプッシャプレートに当接する位置まで移動させることができる。紙幣処理装置１は、第２のプッシャプレート１３を受けプレート１１に当接している第１のプッシャプレート１２に当接する位置まで移動する。これにより、この第２のプッシャプレート１３に連結プレート２６で連結されている第３のプッシャプレート１４は、その一方の端部が略入出金口２の上端の辺に沿う位置に移動し（図８参照）、一時保留空間が入出金口２に対向する。その後、紙幣処理装置１は、シャッタ２ａを開し（ｓ２９）、一時保留空間に収納されている紙幣が利用者により取り出されると（ｓ３０）、シャッタ２ａを閉し（ｓ３１）、本処理を終了する。この場合には、入金処理は行われない。 
また、紙幣処理装置１は、この入金取引後に、紙幣投入空間、リジェクト紙幣収納空間、または一時保留空間のいずれかに、利用者が取り忘れた紙幣が残っていると、その紙幣を繰り出して回収カートリッジ８に収納する。紙幣投入空間に収納されている紙幣は、図５に示したように第１のプッシャプレート１２で分離繰出機構３の繰出ローラに押圧し、繰り出す。また、一時保留空間に収納されている紙幣は、図７に示したように第２のプッシャプレート１３で分離繰出／スタック機構５の繰出ローラに押圧し、繰り出す。さらに、リジェクト紙幣収納空間に収納されている紙幣は、図９に示すように、第１のアクチュエータ２１により第１のプッシャプレート１２を受けプレート１１に当接する位置まで移動し、さらに第２のアクチュエータ２４により第２のプッシャプレート１３を受けプレート１１に当接している第１のプッシャプレートに当接する位置まで移動させることで、分離繰出機構３の繰出ローラに押圧し、繰り出す。なお、第１のプッシャプレート１２、および第２のプッシャプレート１３は、上述したように分離繰出機構３の繰出ローラに対向する位置に切欠を形成しており、リジェクト紙幣収納空間に収納されている紙幣を分離繰出機構３の繰出ローラに押圧することができる。
【００１２】
このように、この実施形態の紙幣処理装置１は、受けプレート１１と第１〜第３のプッシャプレート１２〜１４との４枚のプレートで分割した３つの空間のいずれかを、入出金口２に対向させることができる。具体的に言うと、紙幣の投入時には受けプレート１１と第１のプッシャプレート１２とで区切られた紙幣投入空間を入出金口２に対向させ、またリジェクト紙幣の返却時には第１のプッシャプレート１２と第２のプッシャプレート１３とで区切られたリジェクト紙幣収納空間を入出金口２に対向させ、さらに入金取引が途中で中止されたとき（入金した後に顧客が計数した紙幣を返却取引したとき）には、受入紙幣を収納している第２のプッシャプレート１３と第３のプッシャプレート１４とで区切られた一時保留空間を入出金口２に対向させることができる。したがって、入金紙幣の投入、リジェクト紙幣の返却、入金取引が途中で中止されたときの受入紙幣の返却が、第１〜第３のプッシャプレート１２〜１４の移動により行え、装置本体を小型にできる。また、２つのアクチュエータ（第１のアクチュエータ２１、第２のアクチュエータ２４）で３枚のプッシャプレート（第１〜第３のプッシャプレート１２〜１４）を移動する構成であるので、装置を一層小型にできるとともに、装置本体のコストアップも十分に抑えられ、安価にできる。
【００１３】
次に、出金取引時の動作について説明する。図１０は、この実施形態の紙幣処理装置における出金取引時の処理を示すフローチャートである。紙幣処理装置１は、出金取引が選択されると、この処理を開始する。紙幣処理装置１は、第１〜第３のプッシャプレート１２〜１４を初期位置に移動し（ｓ４１）、出金金額の入力を受け付ける（ｓ４２）。紙幣処理装置１は、入力された出金金額に基づいて、金種毎に紙幣の放出枚数を決定する（ｓ４３）。紙幣処理装置１は、紙幣カートリッジ７ａ〜７ｃから金種毎にｓ４３で決定した放出枚数の紙幣を繰り出し、鑑別部６に搬送する。鑑別部６において、受入可能紙幣であるかどうの鑑別を行う（ｓ４５）。紙幣処理装置１は、ｓ４５で受入可能紙幣であると鑑別された紙幣を一時保留空間に搬送し、収納する（ｓ４６、ｓ４７）。反対に受入可能紙幣でないと鑑別された紙幣については、回収カートリッジ８に搬送し、収納する（ｓ４６、ｓ４８）。
【００１４】
紙幣処理装置１は、ｓ４２で入力された出金金額に相当する紙幣を、一時保留空間に収納すると、第１のアクチュエータ２１により第１のプッシャプレート１２を受けプレート１に当接する位置まで移動する（ｓ５０）。さらに、紙幣処理装置１は、第２のアクチュエータ２４により第２のプッシャプレート１３を受けプレート１１に当接している第１のプッシャプレート１２に当接する位置まで移動する（ｓ５１）。これにより、図８に示したように、入出金口２には、一時保留空間が対向する。紙幣処理装置１は、この状態でシャッタ２ａを開し（ｓ５２）、一時保留空間に収納されている紙幣が利用者により取り出されると（ｓ５３）、シャッタ２ａを閉する（ｓ５４）。また、紙幣処理装置１は今回の出金取引における出金金額に応じた出金処理を行って（ｓ５５）、本処理を終了する。 
なお、紙幣処理装置１は、利用者が取り忘れた紙幣が一時保留空間に残っていると、その紙幣を繰り出して回収カートリッジ８に収納する。 
このように、出金取引においても何らの問題もなく、出金紙幣を一時保留部に収納し、利用者に出金することができる。
【００１５】
次に、第２のプッシャプレート１３と受けプレート１１とに着目し、それら形状を中心に説明する。図１１、１２は入出金口２のシャッタ２ａを開けた状態で、各プレートの様子を図示している。
【００１６】
図１１に示すように、第２のプッシャプレート１３には、穴や切り欠きがなく、中央には袋状のくぼみ形状２８がある。また受けプレート１１にもくぼみ形状２９があり、図１５に示すように、第２のプッシャプレート１３が受けプレート１１に当接したときにちょうどはまり込む形になっている。図１１は各プレート１１，１２，１３の様子を示すために用いたが、実際の入金、出金取引ではこのレイアウトにはならない。
【００１７】
図１２は第２のプッシャプレート１３が受けプレート１１に当接し、シャッタ２ａが開状態となった図示である。入金紙幣の返却、または出金紙幣の出金があるときにこの状態となり、図１４に示すように、第２のプッシャプレート１３に積層した紙幣を顧客に取ってもらう。このように、出金時や入金中止時の紙幣取り出しの際には、第２のプッシャプレート１３が受けプレート１１に当接する位置に移動し、その上に紙幣が乗っている状態となる。このとき第２のプッシャプレート１３のくぼみに指を入れ、容易にプレートの上の紙幣をつかんで取り出すことができるとともに、くぼみの分空間が広くなり、手が入りやすくできる。さらに、第２のプッシャプレート１３のくぼみは受けプレート１１のくぼみにはまり込んでいるため、プレート間に利用者の指が入りこむこともない。
【００１８】
図１３は入金取引にてリジェクト紙幣が発生したときの状態を図示しておりプレート１２を入出金口２の中央付近で停止することで顧客はリジェクト紙幣があることを気付きやすい。ただし、上述の図６のようにプレート１１と１２とを当接した状態でも良い。入金リジェクト紙幣の返却がある場合には、一時保留庫（一時保留部）に紙幣がある状態でシャッタ２ａが開くことになる。このとき第２のプッシャプレート１３は入出金口の上端の辺に沿う位置にあり、その上に紙幣が乗っている状態である。図１１等で説明したように、第２のプッシャプレート１３には穴や切り欠きがないため、利用者が入出金口側からプレートの上にある受入紙幣にアクセスすることはできない、換言すると入金紙幣を収納する収納部又は入金リジェクト紙幣を収納する収納部とは遮断する形状となっている。なお、プレート１３に切り欠き等を設けてプレート上の紙幣を掴みやすい構造も考えられるが、その際、利用者が一時保留部に保留している受入紙幣に入出金口側からアクセスできてしまう問題がある。そのため、一時保留部に利用者がアクセスできない且つ紙幣を掴み易い構造として、図１１，１５等に示すように、プレート１３を切り欠きなしの略長方形の形状とし、その中心にくぼみ形状２８を設けた構造としている。
【図面の簡単な説明】
【００１９】
【図１】紙幣処理装置の主要部の構成を示す図である。
【図２】受けプレート、および第１〜第３のプッシャプレートの取り付けを示す概略図である。
【図３】入金取引時の処理を示すフローチャートである。
【図４】入金取引時の処理を示すフローチャートである。
【図５】受けプレート、および第１〜第３のプッシャプレートの位置を示す図である。
【図６】受けプレート、および第１〜第３のプッシャプレートの位置を示す図である。
【図７】受けプレート、および第１〜第３のプッシャプレートの位置を示す図である。
【図８】受けプレート、および第１〜第３のプッシャプレートの位置を示す図である。
【図９】受けプレート、および第１〜第３のプッシャプレートの位置を示す図である。
【図１０】出金取引時の処理を示すフローチャートである。
【図１１】シャッタ２ａを開きプレート１１，１２，１３を見た斜視図を示す。
【図１２】シャッタ２ａを開きプレート１３がプレート１１に当接した斜視図を示す。
【図１３】入金取引時にリジェクトが発生したときの各プレートの位置関係を示す図である。
【図１４】入金取引時の紙幣の返却、又は出金取引時の紙幣の出金時の各プレートの位置関係を示す図である。
【図１５】受けプレート１１と第２のプッシャプレートとの当接する際の位置関係を示す図である。
【符号の説明】
【００２０】
１…紙幣処理装置、２…入出金口、２ａ…シャッタ、１１…受けプレート、１２…第１のプレート、１３…第２のプレート、１４…第３のプレート、２１…第１のアクチュエータ、２３…駆動プレート、２４…第２のアクチュエータ、２６…連結プレート、２６ａ…長穴、２７…凸部
【図１】
2006350587.tif 000003
【図２】
2006350587.tif 000004
【図３】
2006350587.tif 000005
【図４】
2006350587.tif 000006
【図５】
2006350587.tif 000007
【図６】
2006350587.tif 000008
【図７】
2006350587.tif 000009
【図８】
2006350587.tif 000010
【図９】
2006350587.tif 000011
【図１０】
2006350587.tif 000012
【図１１】
2006350587.tif 000013
【図１２】
2006350587.tif 000014
【図１３】
2006350587.tif 000015
【図１４】
2006350587.tif 000016
【図１５】
2006350587.tif 000017